(57)【特許請求の範囲】
【請求項１】
リール（３７）を装着した状態の複数の釣竿（３６）を前記リール（３７）と共に収容可能な竿ケース本体（１）を備えてなり、該竿ケース本体（１）には、前記釣竿（３６）を横向けに収容可能な開口部（６）が形成されてなり、該竿ケース本体（１）の下部には、背中当接面（４）と反対の面である背面（５）が凸出したリール収容部（８）が備えられてなり、前記リール収容部（８）の内側には、前記リール（３７）を仕切ることができる仕切体（１３）が設けられてなり、
前記仕切体（１３）は、前記リール収容部（８）の内側に上下方向に取り付けられてなり、取り付けられた端縁が固定端となっており、該固定端と反対の端縁が自由端となっており、前記固定端をヒンジとして回動する構成となっており、
前記仕切体（１３）には、リール同士の衝突による衝撃を緩和すべく、弾性部材が設けられてなることを特徴とする竿ケース。
【請求項２】
前記リール収容部（８）の内側には、２枚の前記仕切体（１３）が設けられており、前記仕切体（１３）の自由端側は、両面に面ファスナー（２２）が取り付けられ、リール収容部（８）の内側面又は他方の仕切体（１３）の自由端側に係合できる構成である請求項１記載の竿ケース。
【請求項３】
前記リール収容部（８）を構成する外布部材は、該リール収容部８の両側面及び背中当接面４に亘って連続した状態で設けられてなる請求項１又は２記載の竿ケース。
【発明の詳細な説明】
【０００１】
【発明の属する技術分野】
本発明は、複数の釣竿を収容可能な竿ケースに関する。
【０００２】
【従来の技術】
従来、釣り人は、釣竿を、例えば筒状の竿ケースに収容し、リールを釣竿とは別個にバッグ等に収容して、それぞれ釣り場に携行しており、釣り場においてリールを釣竿に装着している。
【０００３】
ところで、例えば投げ釣りの場合、一人で複数の釣竿を使用したり、又、磯釣りの場合、小さな磯では携行できる荷物の量が制限されるので、釣り仲間２、３人分の釣竿を１つの竿ケースに収容することがあるところ、釣り場においてリールを釣竿に装着する作業は釣りの開始を遅らせ、足場の悪い磯場等では煩雑となる等のことから、リールを装着した状態で複数の釣竿を携行できれば、望ましいことである。
【０００４】
【発明が解決しようとする課題】
しかしながら、リールの装着された複数の釣竿を１つの竿ケースに収容すると、運搬時等において、収容されたリール同士が衝突して、リールを傷つけることが予想される。
【０００５】
そこで、本発明は、上記の如き点に鑑み、リールを傷つける虞も少なく、リールを装着した状態の複数の釣竿を釣場等に携行できる竿ケースを提供することを課題とするものである。
【０００６】
【課題を解決するための手段】
上記課題を解決すべく、本発明にかかる竿ケースは、リールを装着した状態の複数の釣竿を前記リールと共に収容可能な竿ケース本体を備えてなり、該竿ケース本体（１）には、前記釣竿（３６）を横向けに収容可能な開口部（６）が形成されてなり、該竿ケース本体（１）の下部には、背中当接面（４）と反対の面である背面（５）が凸出したリール収容部（８）が備えられてなり、前記リール収容部（８）の内側には、前記リール（３７）を仕切ることができる仕切体（１３）が設けられてなり、
前記仕切体（１３）は、前記リール収容部（８）の内側に上下方向に取り付けられてなり、取り付けられた端縁が固定端となっており、該固定端と反対の端縁が自由端となっており、前記固定端をヒンジとして回動する構成となっており、
前記仕切体（１３）には、リール同士の衝突による衝撃を緩和すべく、弾性部材が設けられてなることを特徴とする。
上記構成からなる竿ケースにおいては、リールを装着した状態の複数の釣竿を前記リールと共にケース本体に収容し、収容されたリールを仕切体で仕切ることにより、リール同士の直接の衝突が抑制される。
【０００７】
本発明の竿ケースにおいては、前記リール収容部（８）の内側に、２枚の前記仕切体（１３）が設けられており、前記仕切体（１３）の自由端側は、両面に面ファスナー（２２）が取り付けられ、リール収容部（８）の内側面又は他方の仕切体（１３）の自由端側に係合できる構成であることが好ましい。
【０００８】
また、前記リール収容部（８）を構成する外布部材は、該リール収容部８の両側面及び背中当接面４に亘って連続した状態で設けられてなることが好ましい。
【０００９】
【発明の実施の形態】
以下、本発明の実施の形態について、図面を参照しつつ説明する。
図１〜図４に示す様に、本実施形態の竿ケースは、リール３７を装着した状態の複数の釣竿３６を前記リール３７と共に収容可能な竿ケース本体１が備えられてなる。
【００１０】
前記竿ケース本体１は、可撓性を有する布体によって略角筒状に形成されてなり、一面に肩掛けベルト２と手提げ用の取っ手３が取り付けられている（図３参照）。  そして、この肩掛けベルトの取り付けられた一面は、肩掛けベルト２を肩に掛けると、その１部が背中に当接することとなる背中当接面４となる。
前記布体は、合成樹脂シートからなる防水性の外布部材と該外布部材の内周側に設けられ且つ該外布部材よりも細番手のテトロン糸が平織りに織られてなる内布部材とから主構成されてなる。
【００１１】
また、背面５（背中当接面４と反対の面）と側面の一方との境界には、該境界に沿ってスライドファスナー１１が取り付けられてなり、前記スライドファスナー１１によって、図４に示す如く上下方向の略全域に開口可能で且つ釣竿３６を横向けに（即ち、釣竿３６の側面から）収容又は取り出し可能な開口部６が形成されている。
【００１２】
また、前記竿ケース本体１の底部には、収容した釣竿３６の底抜けを防止する合成樹脂製の底キャップ７が嵌合され且つ嵌合状態で縫着されている。
更に、図２及び図３に示す如く、前記竿ケース本体１の下部には、リール３７を装着した状態で釣竿３６が収容できるように、側面視、他の部分よりも背面５が全体的になだらかに凸出したリール収容部８が備えられている。
尚、背面５の凸出によって、リール収容部８の側面は、他の側面よりも横幅（背中当接面４から背面５までの距離）が広がっている。
また、前記リール収容部８の側面には、外側に膨出した膨出部９が設けられている。
【００１３】
前記リール収容部８を構成する外布部材は、他の部位を構成する外布部材よりも高弾性な合成樹脂シートで、他の部位よりも厚手に構成されてなり、適宜プレスによって凹状に形成された凹部１０とプレスをせずに凸状に形成された凸部１２とを有し、凹部１０によって屈曲が容易となり、凸部１２によって衝撃吸収性に富んだ構成となっている。
【００１４】
従って、リール収容部８に与えられた衝撃は、凹部１０での屈曲による衝撃吸収と凸部１２での衝撃吸収によって緩和され、収容されたリール３７が損傷する虞も減少する。
尚、前記膨出部９において、凹部１０は、膨出部９の頂部９ａを囲む堀の如く、該頂部９ａを環状に囲むように且つ多重に設けられてなる。
【００１５】
さらに、リール収容部８を構成する外布部材は、凹部１０においても、自然状態（特に重力以外の力が加えられていない状態）では、リール収容部８の形状が変形しない形状保持性を有する厚さの合成樹脂シートで形成され、しかも、リール収容部８の両側面及び背中当接面４に亘って連続した状態で設けられてなり、自然状態では、両側面が近づいて、不用意に収容スペースが減少する虞も減少する。
尚、この外布部材によって、膨出部９の膨出状態が維持されて、リールを収容するためのスペースがより広く形成、維持されている。
【００１６】
図４は、前記開口部６が完全に開口した状態を示す斜視図である。
図４に示すように、前記リール収容部８の内側には、弾性部材としてのスポンジを布で被覆した２枚の仕切体１３が設けられている。
この仕切体１３は、図５に示す如く、前記リール収容部８の背面５の内側面（即ち、背中当接面４の内側面と対向する面）を除く３面の略全域を被覆可能なシート片２７が屈曲されることにより、２枚形成されている。
【００１７】
このシート片２７は、屈曲することにより形成された屈曲端縁２１を前記リール収容部８の内側に縫着することにより、２枚の仕切体１３としてリール収容部８に取り付けられている。
詳しくは、背中当接面４の内側面の上下方向側中心軸に沿って、背中当接面４の内側面に前記屈曲端縁２１を縫着することにより、該屈曲端縁２１に区画形成された２枚の仕切体１３としてリール収容部８に取付られている。
【００１８】
前記仕切体１３は、縫着によってリール収容部８に取り付けられた端縁が固定端となっており、該固定端と反対の端縁は、何れの部位にも縫着されず、自由端となっており、前記固定端をヒンジとして、それぞれ回動する構成となっている。
また、前記仕切体１３の自由端側は、両面に面ファスナー２２が取り付けられ、リール収容部８の内側面や、他方の仕切体１３の自由端側に係合できる構成である。
【００１９】
また、前記リール収容部８の内側面には、適宜、収容された釣竿３６の移動を規制する支持ベルト２３が縫着され、該支持ベルト２３を収容された釣竿３６に巻回することにより、リール収容部８における釣竿３６及びリール３７の移動を規制できる構成である。
【００２０】
さらに、前記リール収容部８の側面は、竿ケース本体１の他の側面よりも幅が広がっていることから、リール収容部８の側面には、竿ケース本体１の他の部位よりも幅広のポケット２４が形成されている。
【００２１】
また、前記竿ケース本体１の上部の内側面には、図４に示す様に、収容された釣竿３６の上部を囲んで該釣竿３６を支持する支持ベルト２５が設けられ、該支持ベルト２５の内周面側には、該支持ベルト２５が支持した釣竿３６を局部的に押圧して傷つけることがないように、保護パッド２６が設けられてる。
【００２２】
本実施形態の竿ケースは、上記の如く構成されてなるので、以下の利点を有するものである。
例えば、上記実施形態においては、リール収容部８には、竿ケース本体１の他の部位よりも幅広のポケット２４が設けられてなるので、玉網の収容に好適である。
即ち、従来は、玉網の頭部である掬部を比較的小型のものとするか、若しくは折り畳む等によりポケット２４に収容していたが、本実施形態においては、ポケット２４が幅広となったため、掬部を折り畳むことなく、より大型の掬部の玉網を収容することができる。
【００２３】
また、前記リール収容部８には、外側に膨出した膨出部９が設けられてなるので、収容可能なリール３７の大型化又は収容可能なリール３７数の増大を図ることができる。
さらに、前記凹部１０は、膨出部９の頂部９ａを環状に囲むように且つ多重に設けられてなるので、必要に応じて膨出部９を陥没させ易くなるという利点を有する。従って、膨出部９の存在によって、竿ケースが邪魔になる虞も減少する。また、膨出部９において、外布部材と内布部材との間に空隙を設けた場合には、リール３７を収容した状態で、万一、膨出部９を岩や壁等に衝突させても、外布部材が衝撃を吸収しつつ空隙内に陥没するので、内布部材及び内布部材より内側にあるリール３７に衝撃が及び難く、収容されたリール３７が傷つく虞も減少する。
【００２４】
さらに、竿ケース本体１には、釣竿３６を横向けに収容可能な開口部６が形成されてなるので、リール３７を装着した状態の釣竿３６を容易に収容することができる。
つまり、竿ケース本体１の先端に釣竿３６を収容するための開口部６を設けた場合、リール３７の装着された状態で釣竿３６を収容するためには、先端の開口部６からリール収容部８まで釣竿３６と共にリール３７を挿通させる必要があることから、リール収容部８以外の竿ケース本体１を必要以上に太くすることを要するが、本実施形態においては、上記の如き開口部６が設けられてなるので、リール収容部８以外の竿ケース本体１を必要以上に太くすることを要せず、竿ケースが必要以上に嵩張って、邪魔になる虞も減少する。
【００２５】
また、上記実施形態において、仕切体１３は、収容部の内側面や他方の仕切体１３と係合できる構成であるので、例えば、図４のように、仕切体１３と収容部の内側面との間又は仕切体１３と仕切体１３との間において収容した釣竿３６及びリール３７を狭持することができ、携行時に、竿ケース本体１内で、収容した釣竿３６及びリール３７の移動を規制することができる。
【００２６】
さらに、竿ケース本体１の上部の内側面にも、収容された釣竿３６の上部を囲んで該釣竿３６を支持する支持ベルトが設けられているので、収容された釣竿３６を上下２点で支持することができ、より一層竿ケース本体１内での釣竿３６の移動を規制することができる。
従って、不用意に釣竿３６を傷付けたり、破損したりする虞が減少するという利点を有する。
【００２７】
尚、本実施形態の竿ケースは、上記の如く構成されたが、本発明にかかる竿ケースは、上記構成に限定されず、適宜設計変更可能である。
例えば、上記実施形態においては、仕切体１３に設けられる弾性部材として、スポンジを用いたが、スポンジの他、ゴム板、エチレン酢酸ビニル樹脂発泡材、ウレタン発泡材等のリール３７よりも低弾性な部材であればよい。
【００２８】
また、上記実施形態においては、竿ケースについて説明したが、例えば、図６に示す如く、リールケース本体３８の上下に釣竿３６を露出させる挿通孔３９が設けられ、内部に上記実施形態と同様の仕切体１３が設けられたリールケースもある。
かかるリールケースによれば、釣竿３６を携行する場合、釣竿３６に装着された複数のリール３７を仕切体１３で仕切るようにリールケースに収容し、例えば、前記釣竿３６をリールケースごと竿ケースに収容すること等ができる。
【００２９】
【発明の効果】
以上のように、本発明にかかる竿ケースによれば、収容されたリール同士の直接の衝突が抑制されるため、リールを傷つける虞も少なく、リールを装着した状態で複数の釣竿をつり場等に携行することができる。従って、例えば、リールの装着される高さ位置が同じ複数の釣竿を、リールを装着した状態で同時に収容しても、リールを傷つける虞も少ないことから、かかる状態の釣竿を安心して釣り場に携行することができる。
【図面の簡単な説明】
【図１】  本実施形態の竿ケースの背面側を示す斜視図。
【図２】  同竿ケースの側面を示す斜視図。
【図３】  同竿ケースの背中当接面及び側面を示す斜視図。
【図４】  同竿ケースの開口部が開口した状態を示す斜視図。
【図５】  同竿ケースのリール収容部を示す要部拡大斜視図。
【図６】  リールケースを示す斜視図。
【符号の説明】
１・・・竿ケース本体、１３・・・仕切体、３６・・・釣竿、３７・・・リール
【図１】
0004272323.tif 000002
【図２】
0004272323.tif 000003
【図３】
0004272323.tif 000004
【図４】
0004272323.tif 000005
【図５】
0004272323.tif 000006
【図６】
0004272323.tif 000007